(57)【特許請求の範囲】
【請求項１】
ＩＰ網を介して通信を行う自営ＩＰネットワークシステムにおいて位置情報を管理して発呼及び着呼の制御を行う呼制御サーバと、ＩＰ網とは異なるデジタル回線を介して通信を行う既存システムにおいて位置情報を管理し回線接続制御を行う回線制御装置とを備えた通信システムであって、
前記呼制御サーバと前記回線接続装置とを接続し、前記呼制御サーバとはＩＰプロトコルで通信を行い、前記回線接続装置とは前記既存システムにおけるプロトコルで通信を行うと共に、前記自営ＩＰネットワークシステムと前記既存システムとの間の通信に伴うプロトコル変換を行うプロキシサーバを設け、
前記呼制御サーバが、移動局の位置登録を受けつけると、既存システムで位置登録するための登録番号を付与して前記移動局の識別情報と対応付けて記憶すると共に、前記プロキシサーバに、前記登録番号を付して前記既存システムへの発着信サービス利用登録を要求し、
前記プロキシサーバが、前記既存システムへの発着信サービス利用登録の要求を受信すると、前記回線接続装置に対して前記登録番号を用いて前記既存システムのプロトコルで位置登録要求を出力し、
前記回線接続装置が、前記位置登録要求を受信すると、前記登録番号に対応する移動局の位置を前記プロキシサーバとして登録することを特徴とする通信システム。
【請求項２】
移動局が、呼制御サーバに対して定期的に位置登録を要求し、
呼制御サーバが、移動局からの位置登録削除要求を受信すると、自営ＩＰネットワークシステムにおける前記移動局の端末リソースを解放すると共に、プロキシサーバに前記移動局に関する端末リソースを開放する要求を出力し、
前記プロキシサーバが、回線接続装置に対して位置登録削除要求を行うことなく前記移動局に関する端末リソースを開放し、
前記回線接続装置が、位置登録されている移動局について、定期的に位置登録が為されているかどうかを監視する位置登録削除タイマを備え、前記位置登録削除タイマに基づいて、一定期間位置登録が為されなかった移動局の位置情報を削除することを特徴とする請求項１記載の通信システム。
【請求項３】
自営ＩＰネットワークシステム内の移動局から既存システム内の端末への発呼時には、
呼制御サーバが、前記移動局の識別番号に対応して記憶された登録番号を付して、前記既存システムへの発呼要求をプロキシサーバに出力し、
前記プロキシサーバが、前記既存システムへの発呼要求を受信すると、前記登録番号を用いて回線接続装置に発呼要求を行い、
前記回線接続装置が、前記登録番号に対応する移動局からの発呼要求を受け付けることを特徴とする請求項１又は２記載の通信システム。
【請求項４】
既存システムの端末から自営ＩＰネットワークシステム内の移動局に対応する登録番号宛の着呼時には、
回線接続装置が、前記登録番号を付してプロキシサーバに発呼要求を出力し、
前記プロキシサーバが、前記登録番号が付された発呼要求を呼制御サーバに出力し、
前記呼制御サーバが、前記登録番号に対応して記憶されている識別番号の移動局に対する着呼として受け付けることを特徴とする請求項１乃至３のいずれか記載の通信システム。
【請求項５】
ＩＰ網を介して通信を行う自営ＩＰネットワークシステムにおいて位置情報を管理して発呼及び着呼の制御を行う呼制御サーバと、ＩＰ網とは異なるデジタル回線を介して通信を行う既存システムにおいて位置情報を管理し回線接続制御を行う回線制御装置とを備えた通信システムにおける通信方法であって、
前記呼制御サーバと前記回線接続装置とを接続するプロキシサーバが、前記呼制御サーバとはＩＰプロトコルで通信を行い、前記回線接続装置とは前記既存システムにおけるプロトコルで通信を行うと共に、前記自営ＩＰネットワークシステムと前記既存システムとの間の通信に伴うプロトコル変換を行い、
前記呼制御サーバが、移動局の位置登録を受けつけると、前記既存システムで位置登録するための登録番号を付与して前記移動局の識別情報と対応付けて記憶する処理と、前記プロキシサーバに、前記登録番号を付して前記既存システムへの発着信サービス利用登録を要求する処理を行い、
前記プロキシサーバが、前記既存システムへの発着信サービス利用登録の要求を受信すると、前記回線接続装置に対して前記登録番号を用いて前記既存システムのプロトコルで位置登録要求を出力する処理を行い、
前記回線接続装置が、前記位置登録要求を受信すると、前記登録番号に対応する移動局の位置を前記プロキシサーバとして登録する処理を行うことを特徴とする通信方法。
【発明の詳細な説明】
【技術分野】
【０００１】
本発明は、無線通信システムに係り、特に自営ＩＰネットワークシステムと既存システムとの間で位置登録情報を共有して、システムの違いにかかわらず通話を可能とする通信システムに関する。
【背景技術】
【０００２】
［従来技術：図９］
ＩＰ網によって接続された自営ＩＰネットワークシステムと、例えばＩＳＤＮ等を用いた従来の自営システムはそれぞれ独立したネットワークを形成している。自営ＩＰネットワークシステムと既存の自営システムを１つのシステムとして稼働させる場合、うまくいかないことがある。図９は、自営ＩＰネットワークシステムと既存システムとを１つのシステムとして稼働させる場合の問題点を示した模式説明図である。
図９に示すように、自営ＩＰネットワークシステム（図では「新システム」と記載）と、既存の自営システム（既存システム、図では「既  稼働システム」と記載）とを相互接続しようとしても、位置登録情報等を双方のシステムで共有する構成がなく、移動局からの発呼又は移動局への着呼が成功したり失敗したりすることがある。
【０００３】
図９の例では、移動局Ａは、既存システムでは位置登録完了しており、自営ＩＰネットワークシステムでは位置登録されていない場合を示しており、移動局Ａが既存システム配下で動作した場合には正常に発呼できるものの、自営ＩＰネットワークシステム配下で動作した場合には発呼できなくなってしまう。
これは、相互のシステムで位置登録情報が共有されていないことによるものである。
【０００４】
［サーバを備えた構成：図１０］
そこで、自営ＩＰネットワークシステムと既存システムとの間に位置登録情報等を一元的に管理する情報サーバを設け、双方のシステムで情報の共有化を図ることが考えられる。図１０は、自営ＩＰネットワークシステムと既存システムとの間に情報サーバを設けたシステムの模式説明図である。
図１０に示すように、サーバを備えた構成では、自営ＩＰネットワークシステム（新システム）と、既存システム（既  稼働システム）と、情報サーバとを備えている。
情報サーバは、自営ＩＰネットワークシステム及び既存システムの両方に接続し、自営ＩＰネットワークシステム及び既存システムの両方から情報を受け付けてデータベースに記憶し、自営ＩＰネットワークシステム用、既存システム用のデータとしてそれぞれのシステムに提供する。
【０００５】
また、自営ＩＰネットワークシステムでは、複数の無線携帯端末間で半二重多対多の同報通信によるグループ通話を実現しており、その方式としてＰｏＣ（Push-to-Talk over Cellular）を用いたものがある。
ＰｏＣでは、端末からボタンを押下して送話すると同時に複数の端末に送信され、複数の端末が音声を受信するようになっている。ボタンを押下して送話する方法をプレストークという。
自営ＩＰネットワークシステムには、プレストーク通話の制御を行うプレストーク制御サーバが設けられている。
【０００６】
既存システムにおいても、別の通信方式を用いてグループ通話を実現するようになっている。既存システムでは、回線制御や呼接続の制御をＬＣＵ（Line Control Unit；回線制御装置）が行っている。
【０００７】
［先行技術文献］
尚、ネットワークに関する先行技術としては、平成１７年１２月１５日公開の特開２００５−３４８２３０号「無線接続装置」（出願人：株式会社日立国際電気、発明者：富田泰行）がある。
この先行技術は、２つのＴＣＰ／ＩＰネットワークを半２重無線回線で接続するために、ＴＣＰ／ＩＰネットワークからの信号をレイヤ４以上で中継して半２重回線に送出する無線接続装置であり、これによりネットワーク間のメール送受信やＷｅｂアクセスの応答性を改善するものである。
【０００８】
【特許文献１】特開２００５−３４８２３０号公報
【発明の開示】
【発明が解決しようとする課題】
【０００９】
しかしながら、サーバを用いて自営ＩＰネットワークシステムと既存システムとで情報を共有するシステムでは、既存システムもサーバに接続してデータのやりとりを行わなければならないため、既存システムに変更を加える必要があり、煩雑であるという問題点があった。
【００１０】
本発明は上記実状に鑑みて為されたもので、既存システムを変更することなく、自営ＩＰネットワークシステムと既存システムとの間の相互通話を可能とし、利便性を向上させることができる通信システムを提供することを目的とする。
【課題を解決するための手段】
【００１１】
上記従来例の問題点を解決するための本発明は、ＩＰ網を介して通信を行う自営ＩＰネットワークシステムにおいて位置情報を管理して発呼及び着呼の制御を行う呼制御サーバと、ＩＰ網とは異なるデジタル回線を介して通信を行う既存システムにおいて位置情報を管理し回線接続制御を行う回線制御装置とを備えた通信システムであって、呼制御サーバと回線接続装置とを接続し、呼制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うプロキシサーバを設け、呼制御サーバが、移動局の位置登録を受けつけると、既存システムで位置登録するための登録番号を付与して移動局の識別情報と対応付けて記憶すると共に、プロキシサーバに、登録番号を付して既存システムへの発着信サービス利用登録を要求し、プロキシサーバが、既存システムへの発着信サービス利用登録の要求を受信すると、回線接続装置に対して登録番号を用いて既存システムのプロトコルで位置登録要求を出力し、回線接続装置が、位置登録要求を受信すると、登録番号に対応する移動局の位置をプロキシサーバとして登録することを特徴としている。
また、本発明は、上記通信システムにおいて、移動局が、呼制御サーバに対して定期的に位置登録を要求し、呼制御サーバが、移動局からの位置登録削除要求を受信すると、自営ＩＰネットワークシステムにおける移動局の端末リソースを解放すると共に、プロキシサーバに移動局に関する端末リソースを開放する要求を出力し、プロキシサーバが、回線接続装置に対して位置登録削除要求を行うことなく移動局に関する端末リソースを開放し、回線接続装置が、位置登録されている移動局について、定期的に位置登録が為されているかどうかを監視する位置登録削除タイマを備え、位置登録削除タイマに基づいて、一定期間位置登録が為されなかった移動局の位置情報を削除することを特徴としている。
また、本発明は、上記通信システムにおいて、自営ＩＰネットワークシステム内の移動局から既存システム内の端末への発呼時には、呼制御サーバが、移動局の識別番号に対応して記憶された登録番号を付して、既存システムへの発呼要求をプロキシサーバに出力し、プロキシサーバが、既存システムへの発呼要求を受信すると、登録番号を用いて回線接続装置に発呼要求を行い、回線接続装置が、登録番号に対応する移動局からの発呼要求を受け付けることを特徴としている。
また、本発明は、上記通信システムにおいて、既存システムの端末から自営ＩＰネットワークシステム内の移動局に対応する登録番号宛の着呼時には、回線接続装置が、登録番号を付してプロキシサーバに発呼要求を出力し、プロキシサーバが、登録番号が付された発呼要求を呼制御サーバに出力し、呼制御サーバが、登録番号に対応して記憶されている識別番号の移動局に対する着呼として受け付けることを特徴としている。
また、本発明は、上記通信システムにおいて、ＩＰ網を介して通信を行う自営ＩＰネットワークシステムにおいて位置情報を管理して発呼及び着呼の制御を行う呼制御サーバと、ＩＰ網とは異なるデジタル回線を介して通信を行う既存システムにおいて位置情報を管理し回線接続制御を行う回線制御装置とを備えた通信システムにおける通信方法であって、呼制御サーバと回線接続装置とを接続するプロキシサーバが、呼制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行い、呼制御サーバが、移動局の位置登録を受けつけると、既存システムで位置登録するための登録番号を付与して移動局の識別情報と対応付けて記憶する処理と、プロキシサーバに、登録番号を付して既存システムへの発着信サービス利用登録を要求する処理を行い、プロキシサーバが、既存システムへの発着信サービス利用登録の要求を受信すると、回線接続装置に対して登録番号を用いて既存システムのプロトコルで位置登録要求を出力する処理を行い、回線接続装置が、位置登録要求を受信すると、登録番号に対応する移動局の位置をプロキシサーバとして登録する処理を行うことを特徴としている。
【発明の効果】
【００１２】
本発明によれば、ＩＰ網を介して通信を行う自営ＩＰネットワークシステムにおいて位置情報を管理して発呼及び着呼の制御を行う呼制御サーバと、ＩＰ網とは異なるデジタル回線を介して通信を行う既存システムにおいて位置情報を管理し回線接続制御を行う回線制御装置とを備えた通信システムであって、呼制御サーバと回線接続装置とを接続し、呼制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うプロキシサーバを設け、呼制御サーバが、移動局の位置登録を受けつけると、既存システムで位置登録するための登録番号を付与して移動局の識別情報と対応付けて記憶すると共に、プロキシサーバに、登録番号を付して既存システムへの発着信サービス利用登録を要求し、プロキシサーバが、既存システムへの発着信サービス利用登録の要求を受信すると、回線接続装置に対して登録番号を用いて既存システムのプロトコルで位置登録要求を出力し、回線接続装置が、位置登録要求を受信すると、登録番号に対応する移動局の位置をプロキシサーバとして登録する通信システムとしているので、プロキシサーバは、既存システムの回線接続装置からは基地局の一つとして認識され、自営ＩＰネットワークシステムに位置登録した移動局は、プロキシサーバにより既存システムのエリアに位置するものとして既存システムに位置登録することができ、既存システムの回線制御装置に変更を加えることなく、既存システムに対する発呼や既存システムからの着呼を行うことができ、利便性を向上させることができる効果がある。
また、本発明によれば、上記通信システムにおいて、移動局が、呼制御サーバに対して定期的に位置登録を要求し、呼制御サーバが、移動局からの位置登録削除要求を受信すると、自営ＩＰネットワークシステムにおける移動局の端末リソースを解放すると共に、プロキシサーバに移動局に関する端末リソースを開放する要求を出力し、プロキシサーバが、回線接続装置に対して位置登録削除要求を行うことなく移動局に関する端末リソースを開放し、回線接続装置が、位置登録されている移動局について、定期的に位置登録が為されているかどうかを監視する位置登録削除タイマを備え、位置登録削除タイマに基づいて、一定期間位置登録が為されなかった移動局の位置情報を削除する上記通信システムとしているので、プロキシサーバが回線接続装置に対して位置登録削除要求を行わないため、移動局が既存システム側に移動したことにより位置登録削除のシーケンスが開始された場合に、回線接続装置に位置登録している移動局の情報を誤って削除してしまうのを防ぐことができるという効果がある。
【発明を実施するための最良の形態】
【００１３】
本発明の実施の形態について図面を参照しながら説明する。
［自営ＩＰネットワークシステムと既存システムとの接続が必要となる場合］
実施の形態について説明する前に、自営ＩＰネットワークシステムと既存システムとを接続する必要性について簡単に説明する。
接続の必要がある場合としては、例えば、既存システムで構築されていたネットワークを自営ＩＰネットワークシステムに切り替える場合が考えられ、このような場合には、システムの移行中であっても通信可能とする必要がある。また、既存システム内に自営ＩＰネットワークシステムを増設する場合も、システム間相互で通信可能とする必要がある。本システムは、このような場合に、既存システムに大きな変更を加えることなく、既存システムと自営ＩＰネットワークシステムとの間の通信を実現するものである。
【００１４】
［発明の概要］
本発明の実施の形態に係る通信システムは、自営ＩＰネットワークシステムの呼制御サーバと、既存システムのＬＣＵとの間に、自営ＩＰネットワークシステムと既存システムとのプロトコル変換を行うＬＣＵプロキシサーバを設け、自営ＩＰネットワークシステムにおいて位置登録した端末について、呼制御サーバが、制御情報として、既存システムとの通信を行うための登録番号を付与し、ＬＣＵプロキシサーバが、ＬＣＵに対して登録番号を付して既存システムのプロトコルで位置登録要求を行い、ＬＣＵでは当該端末を登録番号で認識し、その位置情報をＬＣＵプロキシサーバとして登録するようにしているので、既存システムのＬＣＵは、ＬＣＵプロキシサーバを自己システム内の基地局の一つとして認識して、自営ＩＰネットワークシステム内に位置登録した端末は、既存システムにおいても位置情報を認識されて、既存システムへの発呼及び既存システムからの着呼を行うことができ、利便性を向上させることができるものである。
【００１５】
また、本発明の実施の形態に係る通信システムは、ＬＣＵプロキシサーバが、自営ＩＰネットワークシステムのプレストーク制御サーバに接続すると共に、更に、既存システムの全ての基地局と、ＬＣＵ内の全ての基地局インタフェースに接続し、既存システム内に位置登録した端末の情報を自営ＩＰネットワークシステムのプレストーク制御サーバに供給するようにしているので、自営ＩＰネットワークシステムは、ＬＣＵプロキシサーバ及び既存システムを自己のネットワーク中の基地局の一つとして認識して、既存システムのＬＣＵに大幅な変更を加えなくても自営ＩＰネットワークシステム及び既存システムで位置登録情報を共有することができ、いずれのネットワーク内に位置登録されている端末であっても、同一システム内と同様に通信可能とすることができ、利便性を向上させることができるものである。
【００１６】
［実施の形態の構成：図１］
本発明の実施の形態に係る通信システム（本システム）について説明する。図１は、本システムの主要部分の構成を示す模式説明図である。
［自営ＩＰネットワークシステム］
図１に示すように、本システムは、自営ＩＰネットワークシステムと既存システム（図では「従来自営システム」と記載）とを備えている。
自営ＩＰネットワークシステムは、移動局（ＭＳ；Mobile Station）１と、基地局（ＢＳ；Base Station）２と、アクセスゲートウェイ（ＡＧＷ；Access Gate Way）３と、呼制御エンジン４と、本システムの特徴部分であるＬＣＵ proxy５とを備え、ＢＳ２とＡＧＷ３、呼制御エンジン４、ＬＣＵ proxy５は、Ｅｔｈｅｒｎｅｔ（登録商標）等のＷＡＮ１０とルータ及びレイヤ２（Ｌ２）スイッチを介して接続されている。
尚、図示は省略するが、移動局１の他に有線卓を備えていてもよく、その場合には、有線卓はＩＳＤＮ回線をを介してＡＧＷ３に接続している。ＡＧＷ３は、セッションに伴う制御メッセージをＩＳＤＮメッセージからＴＢＣＰ／ＲＴＣＰへ、又はその反対に変換する。
移動局１は、利用者が携帯する自営ＩＰネットワークシステムの移動端末である。
基地局２は、移動局１と無線通信を行って、エリア内の移動局１の通信をサポートする。
【００１７】
また、ＡＧＷ３、呼制御エンジン４、ＬＣＵ proxy５は、コンピュータにおける機能実現手段であり、図示は省略するが、ハードウェアとしては、主要な構成手段として、ＣＰＵ等から成る制御部と、ハードディスク等から成る記憶部と、制御部のワークメモリとして機能する主メモリと、データのやりとりを行うインタフェース部とを備えている。
そして、制御部が、メモリに記憶されているプログラムを主メモリに展開して起動し、プログラムに従って処理を行うことによって、各処理手段による機能が実現されるものである。
【００１８】
ＡＧＷ３は、通信に伴うセッションの制御を行うゲートウェイであり、個別通話やグループ通信の制御を行う。ＡＧＷ３は、更に、処理手段として、ＰＮＰ（Private Network Proxy）、ＰＴＰＦ（Press-Talk Server Participating Function）とを備えている。
ＰＮＰは、位置登録された移動局１に対応して作成されるプロキシモジュールであり、ＳＩＰ（Session Initiation Protocol）による位置登録、個別通話、グループ通話のためのセッション制御を開始する。また、メディアフローの制御（帯域割り当て、フィルタリング、ＱｏＳマーキング）を行う。
ＰＴＰＦは、プレストークの制御を行うプレストークサーバであり、移動局１毎の設定情報を記憶しており、設定情報（着信優先度、応答モードが自動か手動か等）に基づいて、プレストーク通信の接続制御を行う。
【００１９】
呼制御エンジン４は、自営ＩＰネットワークシステムにおける回線接続制御を行うものであり、位置情報の登録や、移動局１に対する発着信の制御を行う。尚、呼制御エンジン４は、請求項の「呼制御サーバ」に相当している。
また、呼制御エンジン４は、処理手段として、ｐｒＨＳＳ（Private Home Subscriber Server）と、ｐｒＣＳＣＦ（Private Call Session Control Function）とを備えている。
ｐｒＨＳＳは、端末の位置情報を管理する位置登録データベースであり、移動局１や有線卓等の端末の位置情報として、各端末を収容するＡＧＷ（ＰＮＰ）のアドレスを管理し、各端末毎の固有情報（ｉＦＣ、ローミング情報、提供サービス情報、コーデック情報）を管理する。特に、本システムでは、ｐｒＨＳＳは、制御情報として、自営ＩＰネットワークシステム内で位置登録された移動局１に対して、既存システムに位置登録するための登録番号を付与して、ｐｒＣＳＣＦに出力する。
【００２０】
ｐｒＣＳＣＦは、ＳＩＰセッションにより、呼接続、呼の状態管理、呼切断等の基本的な制御を行う。また、位置登録削除タイマを備え、設定された一定期間位置登録がなかった移動局１について位置登録削除を行う。また、本システムの特徴として、位置登録された移動局１について、ＡＧＷ（ＰＮＰ）のアドレスと登録番号とを対応付けて記憶しておく。
【００２１】
［既存システム］
また、既存システムは、ＬＣＵ（Line Control Unit；回線制御装置）６と、基地局（ＢＳ）７と、移動局（ＭＳ）８とを備えている。ＬＣＵ６は、基地局毎に対応する基地局ＩＦ（基地局インタフェース）を備え、ＬＣＵ６の基地局ＩＦと、各基地局７とは、ＩＳＤＮ等のデジタル専用線２０で接続されている。ＬＣＵ６の構成及び動作は従来と同様であるため説明は省略する。
更に、ＬＣＵ６の基地局ＩＦは、ＬＣＵ proxy５とデジタル専用回線によって接続されている。
【００２２】
［ＬＣＵ proxy］
本システムの特徴部分であるＬＣＵ proxy５は、自営ＩＰネットワークシステムとはＩＰ回線を介して接続し、既存システムとはＩＳＤＮ回線を介して接続し、自営ＩＰネットワークシステムと既存システムとの間のプロトコル変換を行うプロキシサーバである。ＬＣＵ proxy５は、ＬＣＵ６から受信するシグナリングとデータの振り分けを行って自営ＩＰネットワークシステムに出力する。
【００２３】
そして、ＬＣＵ proxy５は、自営ＩＰネットワークシステム内に位置登録された移動局１について、ｐｒＣＳＣＦから既存システムでの位置登録を行う要求を受けると、ｐｒＨＳＳによって付与された既存システムでのサービスを利用するための登録番号を用いて既存システムのプロトコルでＬＣＵ６に位置登録を要求する。
【００２４】
すなわち、ＬＣＵ proxy５は、ＩＳＤＮメッセージを用いて既存システムのＬＣＵ６に対して、当該登録番号の移動局１が自己のエリア内にいることを登録するものであり、ＬＣＵ６から見るとＬＣＵ proxy５は既存基地局の１つと同等のものとなる。つまり、既存システム内においては、自営ＩＰネットワークシステム内にいる当該移動局１は、ＬＣＵ proxy５に位置登録されているものとなる。
【００２５】
これにより、自営ＩＰネットワークシステム内で位置登録された移動局１は既存システム内でも位置登録されることになり、既存システム内の端末と同様に個別通話やグループ通話を行うことができるものである。
【００２６】
［位置登録シーケンス：図２］
次に、自営ＩＰネットワークシステム内の移動局１が既存システムに位置登録する際の位置登録シーケンスについて図２を用いて説明する。図２は、自営ＩＰネットワークシステム内の移動局１が既存システムに位置登録する際の位置登録シーケンスを示す説明図である。
図２に示すように、移動局１（図示せず）からの位置登録要求を受信した基地局（ＢＳ）２は、当該移動局に対応するＡＧＷ３内のＰＮＰに移動局１の識別番号と自己の識別番号とを付して、位置登録要求を出力する。移動局１とＰＮＰとは１対１に対応しているものである。
【００２７】
ＰＮＰは、位置登録要求に基づいて、移動局（ＭＳ）１がどの基地局２に位置登録しているかを示す情報（ＭＳのＢＳ情報）を更新する処理を行う。
つまり、ＰＮＰは、位置登録要求をＲＥＧＩＳＴＥＲメッセージに変換して、呼制御エンジン４のｐｒＣＳＣＦに出力し（１．ＲＥＧＩＳＴＥＲ）、ｐｒＣＳＣＦは、ｐｒＨＳＳに要求のあった移動局１の位置情報を登録するよう指示する。
【００２８】
ｐｒＨＳＳは、加入者データを参照して確認を行い、確認が成功すると位置登録情報としてＰＮＰ（ここでは移動局１に対応するＰＮＰ）のアドレスを登録する。そして、当該移動局１が自営ＩＰネットワークシステム内でサービスを受けるための各種制御情報と、更に既存システム内に位置登録するための登録番号をｐｒＣＳＣＦに出力する（図では「サービス制御情報」）。
ｐｒＣＳＣＦは、当該サービス制御情報を付加したＰＵＢＬＩＳＨメッセージを、対応するＰＮＰに送信する（２．ＰＵＢＬＩＳＨ）。
【００２９】
サービス制御情報を受け取ったＰＮＰは、端末コーデック情報の設定処理を行う。
ＰＮＰは、ｐｒＣＳＣＦにＰＵＢＬＩＳＨメッセージで着信優先度を通知し（３．ＰＵＢＬＩＳＨ）、ｐｒＣＳＣＦはプレストーク制御サーバであるＰＴＰＦに通知する（４．ＰＵＢＬＩＳＨ）。
【００３０】
ＰＴＰＦは、着信優先度を設定し、ｐｒＣＳＣＦへＯＫを出力し（５．200 ＯＫ）、ｐｒＣＳＣＦはＰＮＰへＯＫを出力する（６．200 ＯＫ）。
そして、ＰＮＰからｐｒＣＳＣＦへＯＫが出力されると（７．200 ＯＫ）、本システムの特徴として、ｐｒＣＳＣＦは、移動局１のサービス制御情報に含まれる登録番号を付して、ＬＣＵ proxy５に、既存システムからの着信及び既存システムへの発信のサービス利用登録を要求する（８．ＲＥＧＩＳＴＥＲ）。
【００３１】
ＬＣＵ proxy５は、既存システムへの発着信サービス利用登録を受信すると、登録番号を用いて、既存システムのプロトコルでＬＣＵ６に対して位置登録を要求する。すなわち、ＬＣＵ proxy５は、ＬＣＵ６に対しては擬似ＢＳとして動作するものである。
既存システムのＬＣＵ６は、当該移動局１の位置を、ＬＣＵ proxy５として登録する。そして、ＬＣＵ６は、登録番号と位置登録受け付けをＬＣＵ proxy５に報知する。
【００３２】
ＬＣＵ proxyは、ｐｒＣＳＣＦに、位置登録が受け付けられた登録番号を付して、ＯＫを出力する（９．200 ＯＫ）。
ｐｒＣＳＣＦは、登録番号に対応するＰＮＰに、ＯＫを出力し（１０．200 ＯＫ）、ＰＮＰは基地局２へ位置登録受け付けを報知する。
【００３３】
そして、ＰＮＰがｐｒＣＳＣＦにＳＵＢＳＣＲＩＢＥを出力すると（１１．ＳＵＢＳＣＲＩＢＥ）、ｐｒＣＳＣＦは、位置登録状態が変化した場合に通知する位置登録状態変化通知予約の処理を行い、ＰＮＰにＯＫ（１２．200 ＯＫ）と、通知（１３．ＮＯＴＩＦＹ）を出力し、ＰＮＰからｐｒＣＳＣＦにＯＫが出力されて（１４．200 ＯＫ）、位置登録のシーケンスが終了する。
【００３４】
これにより、自営ＩＰネットワークシステム内の移動局１は、既存システムにおいてはＬＣＵ proxy５に位置登録していることになり、既存システムへの発呼や、既存システムからの着呼を自由に行うことができるものである。
【００３５】
例えば、自営ＩＰネットワークシステムの移動局１から既存システムへの発呼時には、ｐｒＣＳＣＦが、移動局１からの発呼要求に登録番号を付してＬＣＵ proxy５に既存システムへの発呼要求として出力する。ＬＣＵ proxy５は、ｐｒＣＳＣＦから既存システムへの発呼要求を受け付けると、登録番号を用いてＬＣＵ６に発呼要求を出力する。ＬＣＵ６は、当該登録番号の端末（移動局１）はＬＣＵ proxy５に位置登録していることを管理しているので、発呼要求は受け付けられ、既存システム内の端末宛に発呼することができるものである。
【００３６】
反対に、既存システムから自営ＩＰネットワークシステムへの着呼時には、ＬＣＵ proxy５が、ＬＣＵ６から登録番号宛の着呼を受信すると、登録番号を付してｐｒＣＳＣＦに出力し、ｐｒＣＳＣＦは登録番号に対応する移動局１に対する着呼として受け付ける。
このようにして、既存システムへの発呼及び既存システムからの着呼が行われる。
【００３７】
尚、図２の処理は、移動局１からの定期的な要求に基づいて行われるものであり、移動局１は自営ＩＰネットワークシステムと既存システムの両方に定期的に位置登録されることになる。
【００３８】
［位置登録失敗シーケンス：図３］
次に、自営ＩＰネットワークシステム内の移動局１が既存システムに位置登録しようとして、失敗する際のシーケンスについて図３を用いて説明する。図３は、自営ＩＰネットワークシステム内の移動局１が既存システムに位置登録しようとして失敗する際のシーケンスを示す説明図である。
図３に示すように、ＬＣＵ proxy５がＬＣＵ６に位置登録要求を出力するまでは、図２のシーケンスと全く同様である。
すなわち、基地局２からＰＮＰを介して位置登録要求が送信され、呼制御エンジン４のｐｒＨＳＳで位置登録が為され、ｐｒＣＳＣＦから既存システムにおける登録番号を含むサービス制御情報が通知され、端末コーデック情報の設定が為されて、ｐｒＣＳＣＦからＬＣＵ proxy５に既存システムへの位置登録の要求としてのＲＥＧＩＳＴＥＲが出力される（８．ＲＥＧＩＳＴＥＲ）。
【００３９】
そして、ＬＣＵ proxy５は、ＬＣＵ６に位置登録要求を出力する。
ＬＣＵ６は、位置登録要求を受信して受け付けを試みるが、正常に受け付けることができず、登録ＮＧとなった場合、ＬＣＵ proxy５に登録番号を付して位置登録拒否を出力する。
そして、ＬＣＵ proxy５は、ｐｒＣＳＣＦに位置登録要求が拒否されたことを報知する（９．403 ＦＯＲＢＩＤＤＥＮ）。
【００４０】
この後、図２の１０．200 ＯＫ〜１４．200 ＯＫと同様に処理が行われる。
これは、たとえ既存システムでの位置登録が正常に行われなかった場合でも、自営ＩＰネットワークシステムでの位置登録のシーケンスを正常終了することにより、少なくとも自営ＩＰネットワークシステム内での個別通話やグループ通話のサービスを正常に受けることができるようにするためである。
【００４１】
［位置登録削除シーケンス：図４］
次に、位置登録削除の際のシーケンスについて図４を用いて説明する。図４は、位置登録削除のシーケンスを示す説明図である。
図４に示すように、移動局１において電源がＯＦＦされた場合等、位置登録削除の要求が出力されると、基地局２は、ＰＮＰに位置登録削除要求を出力し、ＰＮＰは、Ｅｘｐｉｒｅｓヘッダに０を設定したＲＥＧＩＳＴＥＲメッセージをｐｒＣＳＣＦに出力する（１．ＲＥＧＩＳＴＥＲ）。
ｐｒＣＳＣＦは、ｐｒＨＳＳに位置情報の削除を指示し、ｐｒＨＳＳは、当該移動局１の位置情報を削除し、ｐｒＣＳＣＦに位置情報削除の応答を出力する。
【００４２】
ｐｒＣＳＣＦは、ＰＮＰに位置情報を削除したことを通知し（２．ＮＯＴＩＦＹ）、ＰＮＰは、端末リソースを解放する。
ＰＮＰは、ｐｒＣＳＣＦに端末リソースを解放してＮＯＴＩＦＹメッセージへの応答としてＯＫを出力する（３．200 ＯＫ）。
ｐｒＣＳＣＦは、ＬＣＵ proxy５に既存システムへの端末リソース解放を要求するＲＥＧＩＳＴＥＲメッセージを出力する（４．ＲＥＧＩＳＴＥＲ）。これは、上述したようにＥｘｐｉｒｅｓヘッダに０を設定したＲＥＧＩＳＴＥＲメッセージである。
【００４３】
ＬＣＵ proxy５は、当該移動局１に関する端末リソース解放を行う。このとき、ＬＣＵ proxy５は、既存システムのＬＣＵ６に対しては位置登録削除要求は行わない。
これは、移動局１が自営ＩＰネットワークシステム側から既存システム側に移動したことにより位置登録削除のシーケンスが開始された場合に、ＬＣＵ６に位置登録している移動局１の位置情報を、自営ＩＰネットワークシステム側からの要求で削除してしまうのを防ぐためである。
【００４４】
更に、ＰＮＰは、ｐｒＣＳＣＦに端末リソース解放のＰＵＢＬＩＳＨメッセージを出力し（５．ＰＵＢＬＩＳＨ）、ｐｒＣＳＣＦは、ＰＴＰＦに端末リソース解放のＰＵＢＬＩＳＨを出力する（６．ＰＵＢＬＩＳＨ）。
ＰＴＰＦは、当該移動局１の端末リソースを解放し、ｐｒＣＳＣＦにＯＫを出力し（７．200 ＯＫ）、ｐｒＣＳＣＦは、ＰＮＰにＯＫを出力する（８．200 ＯＫ）。
【００４５】
そして、ＬＣＵ proxy５が、端末リソースを解放してｐｒＣＳＣＦにＯＫを出力すると（９．200 ＯＫ）、ｐｒＣＳＣＦは、ＰＮＰにＯＫを出力し（１０．200 ＯＫ）、ＰＮＰは位置登録要求（削除）を基地局２に報知すると共に、ＭＳのＢＳ情報を削除し、処理を終わる。
【００４６】
一方、既存システムのＬＣＵ６には、位置登録削除タイマが設けられており、一定期間位置登録が為されなかった移動局１の位置情報は、ＬＣＵ６から削除されるようになっている。このようにして位置登録削除のシーケンスが行われるものである。
【００４７】
［位置登録削除タイムアウトシーケンス：図５］
ｐｒＣＳＣＦは、ＰＮＰから一定時間位置登録がなく、位置登録削除タイマが満了した場合にも、位置登録削除の処理を行う（位置登録削除タイムアウトシーケンス）。
図５は、位置登録削除タイムアウトシーケンスを示す説明図である。
図５に示すように、ｐｒＣＳＣＦは、位置登録削除タイマが満了した移動局１があると、当該移動局１の位置情報を削除するようｐｒＨＳＳに指示し、ｐｒＨＳＳは当該移動局１の位置情報を削除して、位置情報削除の応答をｐｒＣＳＣＦに出力する。
【００４８】
ｐｒＣＳＣＦは、対応するＰＮＰに対して、位置情報を削除したことを通知し（１．ＮＯＴＩＦＹ）、ＰＮＰは、端末リソースを解放する。
ＰＮＰは、ｐｒＣＳＣＦに端末リソースを解放してＮＯＴＩＦＹメッセージへの応答としてＯＫを出力する（２．200 ＯＫ）。
ｐｒＣＳＣＦは、ＬＣＵ proxy５に既存システムへの端末リソース解放を要求するＲＥＧＩＳＴＥＲメッセージを出力する（３．ＲＥＧＩＳＴＥＲ）。
【００４９】
ＬＣＵ proxy５は、当該移動局１に関する端末リソース解放を行う。図４の処理と同様に、ＬＣＵ proxy５は、既存システムのＬＣＵ６に対しては位置登録削除要求は行わない。
そして、ＰＮＰは、ｐｒＣＳＣＦに端末リソース解放のＰＵＢＬＩＳＨメッセージを出力し（４．ＰＵＢＬＩＳＨ）、ｐｒＣＳＣＦは、ＰＴＰＦに端末リソース解放のＰＵＢＬＩＳＨを出力する（５．ＰＵＢＬＩＳＨ）。
【００５０】
ＰＴＰＦは、当該移動局１の端末リソースを解放し、ｐｒＣＳＣＦにＯＫを出力し（６．200 ＯＫ）、ｐｒＣＳＣＦは、ＰＮＰにＯＫを出力する（７．200 ＯＫ）。ＰＮＰは、ＭＳのＢＳ情報を削除する。
ＬＣＵ proxy５は、端末リソースを解放して、ｐｒＣＳＣＦにＯＫを出力する（８．200 ＯＫ）。このようにして位置登録削除タイムアウトシーケンスが行われるものである。
【００５１】
［プレストーク情報登録ＮＧ時シーケンス：図６］
次に、プレストーク情報の登録ができずに位置登録に失敗する場合について、図６を用いて説明する。図６は、プレストーク情報の登録ができずに位置登録に失敗する場合のシーケンスを示す説明図である。
図６に示すように、移動局１（図示せず）からの位置登録要求を受信した基地局（ＢＳ）２は、当該移動局に対応するＡＧＷ内のＰＮＰに移動局１の識別番号と自己の識別番号とを付して、位置登録要求を出力する。
【００５２】
ＰＮＰは、位置登録要求に基づいて、ＭＳのＢＳ情報を更新する処理を行う。
つまり、ＰＮＰは、位置登録要求をＲＥＧＩＳＴＥＲメッセージに変換して、ｐｒＣＳＣＦに出力し（１．ＲＥＧＩＳＴＥＲ）、ｐｒＣＳＣＦは、ｐｒＨＳＳに要求のあった移動局１の位置情報を登録するよう指示を出力する。
【００５３】
ｐｒＨＳＳは、加入者データの確認を行って成功すると、位置情報の登録を行い、ｐｒＣＳＣＦに、サービス制御情報として、プレストークサービス、着信優先度、コーデック、既存システムへの登録番号を通知する。
ｐｒＣＳＣＦは、サービス制御情報を付加したＰＵＢＬＩＳＨをＰＮＰに通知する（２．ＰＵＢＬＩＳＨ）。
【００５４】
ＰＮＰは、端末コーデック情報設定処理として、ｐｒＣＳＣＦにＰＵＢＬＩＳＨメッセージでプレストーク情報を通知し（３．ＰＵＢＬＩＳＨ）、ｐｒＣＳＣＦはプレストーク情報をプレストーク制御サーバであるＰＴＰＦに通知する（４．ＰＵＢＬＩＳＨ）。
ＰＴＰＦでは当該移動局１のプレストーク情報の登録を試みるが、設定に失敗した場合、ＰＴＰＦは、ｐｒＣＳＣＦにプレストーク登録拒否を通知する（５．403ＦＯＲＢＩＤＤＥＮ）。
ｐｒＣＳＣＦは、ＰＮＰにプレストーク登録拒否を通知する（６．403ＦＯＲＢＩＤＤＥＮ）。
【００５５】
そして、ＰＮＰはｐｒＣＳＣＦにプレストーク登録拒否を通知する（７．403ＦＯＲＢＩＤＤＥＮ）。
ｐｒＣＳＣＦは、当該移動局１のｐｒＨＳＳに位置情報削除を指示し、ｐｒＨＳＳは、当該移動局１の位置情報を削除して、ｐｒＣＳＣＦに位置情報削除応答を出力する。
そして、ｐｒＣＳＣＦはＰＮＰに位置登録が拒否されたことを通知する（８．403ＦＯＲＢＩＤＤＥＮ）。
ＰＮＰは、基地局２に位置登録拒否を通知し、ＭＳのＢＳ情報を削除して処理を終わる。
このようにしてプレストーク情報の登録に失敗した場合のシーケンスが行われるものである。
【００５６】
［加入者データなし時シーケンス：図７］
次に、加入者データがなく、位置登録に失敗する場合について、図７を用いて説明する。図７は、加入者データがないため位置登録に失敗する場合のシーケンスを示す説明図である。
図７に示すように、図６と同様に、基地局２は、ＰＮＰに位置登録要求を出力する。ＰＮＰは、ＭＳのＢＳ情報を更新する処理として、ｐｒＣＳＣＦに位置登録を要求するＲＥＧＩＳＴＥＲメッセージを出力し（１．ＲＥＧＩＳＴＥＲ）、ｐｒＣＳＣＦは、ｐｒＨＳＳに移動局１の位置情報を登録するよう指示を出力する。
【００５７】
ｐｒＨＳＳは、加入者データを参照し、位置登録要求があった移動局１が加入者データに記憶されていない場合、加入者データ確認失敗として、ｐｒＣＳＣＦに位置情報登録失敗を通知する。
ｐｒＣＳＣＦは、ＰＮＰに位置登録が拒否されたことを通知し（２．403 ＦＯＲＢＩＤＤＥＮ）、ＰＮＰは基地局２に位置登録が拒否されたことを通知し、ＭＳのＢＳ情報を削除して、処理を終わる。
【００５８】
図６，図７に示した処理の場合、自営ＩＰネットワークシステムでの位置登録が為されないので、ＬＣＵ proxy５を介して既存システムに位置登録することもない。
【００５９】
［別の実施の形態に係る通信システム：図８］
次に、本発明の別の実施の形態に係る通信システムについて図８を用いて説明する。図８は、本発明の別の実施の形態に係る通信システムの構成ブロック図である。
上述したシステムでは、ＬＣＵ proxyが、自営ＩＰネットワークシステム内の移動局１の登録番号を用いて既存システムに対して位置登録要求を行い、既存システムに対して既存の基地局と同様に振る舞うことにより、自営ＩＰネットワークシステムに位置登録している移動局１の位置情報を既存システムでも共有するものであるが、別のシステムでは、ＬＣＵ proxyが自営ＩＰネットワークシステムに対して自営ＩＰネットワークシステムの基地局と同様に振る舞うことにより、既存システム内に位置登録している移動局が、自営ＩＰネットワークシステムへの発呼や自営ＩＰネットワークシステムからの着信を受けることができるようにしているものである。
【００６０】
図８に示すように、別の本実施の形態に係る通信システム（別の通信システム）は、自営ＩＰネットワークシステムと、既存システムとを備え、自営ＩＰネットワークシステムは、移動局１１と、基地局１２と、プレストークサーバ１３と、回線制御部１４と、ＬＣＵプロキシサーバ（ＬＣＵ proxy）１７とを備えている。
更に、回線制御部１４は、位置登録データベース１５と、呼制御サーバ１６とを備えている。
【００６１】
移動局１１は、利用者が携帯する自営ＩＰネットワークシステムの移動端末である。
基地局１２は、移動局１１と無線通信を行って、エリア内の移動局１１の通信をサポートする。
プレストーク制御サーバ１３は、図１に示したＰＴＰＦに相当し、グループ通信の接続制御を行う。
【００６２】
回線制御部１４は、自営ＩＰネットワークシステムにおける回線接続制御を行うものであり、図１に示したＡＧＷ３及び呼制御エンジン４の機能を備えている。
位置登録データベース１５は、図１のｐｒＨＳＳに相当し、移動局１１がどの基地局に位置登録しているかを記憶している。
また、呼制御サーバ１６は、図１のｐｒＣＳＣＦに相当し、位置登録データベース１５への位置情報の登録や、移動局１１に対する発着信の制御を行う。
【００６３】
また、既存システムは、従来とほぼ同様であり、既存システム内の通信制御を行うＬＣＵ１８と、既存システムの移動端末との無線通信を行う既存基地局１９とを備えている。
ＬＣＵ１８は、呼制御ＣＰＵと、交換制御ＣＰＵと、ＤＴＩ（Digital Trunk Interface） ＩＦと、ＯＤＴ(Out-Band Digital trunk) ＩＦと、指令卓ＩＦと、保守コンピュータＩＦと、運用管理ＩＦと、既存基地局に対応して設けられた複数の基地局ＩＦとを備えている。各部の構成及び動作は従来と同様であるため説明は省略する。
【００６４】
既存システムの内部は図１に示したシステムと基本的にはほぼ同様であるが、全ての既存基地局１９がＬＣＵ proxy１７と接続し、ＬＣＵ proxy１７が全ての既存基地局１９に対応する基地局ＩＦに接続している。すなわち、既存基地局１９は、ＬＣＵ proxy１７を介してＬＣＵ１８と接続するようになっている。
これにより、既存基地局１９に位置登録している移動局は、自営ＩＰネットワークシステム側から見ると、いずれもＬＣＵ proxy１７に位置登録していることになり、ＬＣＵ proxy１７は、プレストークサーバ１３からは自営ＩＰネットワークシステムの基地局１２として認識されるものである。
【００６５】
ＬＣＵ proxy１７は、図１のシステムに示したＬＣＵ proxy５と同様に、既存システムのＬＣＵ１８に対して既存の基地局の一つとして振る舞うと共に、更に、自営ＩＰネットワークシステムに対して、既存システム内で位置登録された移動局が、ＬＣＵ proxy１７に位置登録されているものとして動作する。つまり、プレストークサーバ１３から見るとＬＣＵ proxy１７は自営ＩＰネットワークシステム内の基地局１２と同等のものとなる。
【００６６】
［自営ＩＰネットワークシステム内にいる場合の位置登録］
移動局１１が、自営ＩＰネットワークシステムに位置登録した場合には、図１に示したシステムと同様にして、位置登録データベース１５の位置情報を、プレストークサーバ１３に通知すると共に、ＬＣＵ proxy１７に通知する。ＬＣＵ proxy１７が、既存システムのＬＣＵ１８に位置登録要求することにより、既存システムにおいては、当該移動局１１はＬＣＵ proxyに位置登録していることになり、既存システムの発着信サービスが受けられる。
【００６７】
［既存システムにいる場合の位置登録］
移動局１１が、既存システム内にいて既存システムに位置登録した場合、移動局１１は、既存基地局１９を介してＬＣＵ proxy１７に通知する。これにより、ＬＣＵ proxy１７は、移動局１１の識別情報と位置登録している既存基地局１９の識別情報とを取得して、これらを対応付けて記憶する。
そして、ＬＣＵ proxy１７は、移動局１１の位置登録情報をＬＣＵ１８内の既存の基地局ＩＦに通知する。ＬＣＵ１８は、従来と同様に、移動局１１の位置情報の管理及び回線接続制御を行う。
【００６８】
更に、ＬＣＵ proxy１７は、自営ＩＰネットワークシステムのプレストークサーバ１３に対して、移動局１１の識別情報を付して位置情報を提供する。すなわち、既存システムに位置登録された移動局１１は、自営ＩＰネットワークシステムのプレストークサーバ１３からはＬＣＵ proxy１７に位置登録しているように見えるものである。
【００６９】
［実施の形態の効果］
本発明の実施の形態に係る通信システムによれば、自営ＩＰネットワークシステムと、既存システムのＬＣＵ６との間に、自営ＩＰネットワークシステムと既存システムとのプロトコル変換を行うＬＣＵ proxy５を設け、自営ＩＰネットワークシステムにおいて位置登録した移動局１について、呼制御エンジン４のｐｒＨＳＳが、制御情報として、既存システムに位置登録するための登録番号を付与し、ｐｒＣＳＣＦがＬＣＵ proxy５に既存システムへの位置登録を要求し、ＬＣＵ proxy５が、ＬＣＵ６に対して登録番号を付して既存システムのプロトコルで位置登録要求を行い、ＬＣＵ６では当該端末を登録番号で認識し、位置情報をＬＣＵ proxy５として登録するようにしているので、既存システムのＬＣＵ６を変更しなくても、ＬＣＵ６にＬＣＵ proxy５を既存システム内の基地局の一つとして認識させることができ、自営ＩＰネットワークシステム内に位置登録した移動局１は、既存システムにおいても位置情報を認識されて、既存システムへの発呼及び既存システムからの着呼を行うことができ、利便性を向上させることができる効果がある。
【００７０】
また、本システムでは、自営ＩＰネットワークシステムにおける位置登録が正常に行われ、ＬＣＵ proxy５からＬＣＵ６に対する位置登録が失敗に終わった場合、位置登録シーケンスを正常に終了させるようにしているので、このような場合でも自営ＩＰネットワークシステムでのサービスは正常に受けることができる効果がある。
【００７１】
また、本システムでは、自営ＩＰネットワークシステムにおいて位置登録削除の要求があった場合、ＬＣＵ proxy５からＬＣＵに対する位置登録削除の要求は行わないようにしているので、移動局１が自営ＩＰネットワークシステムから既存システムに移動したことにより位置登録削除のシーケンスが開始された場合に、既に既存システムに位置登録されている当該移動局１の位置登録情報をＬＣＵ proxy５からの要求で削除するのを防ぐことができる効果がある。
【００７２】
また、本発明の別の実施の形態に係る通信システムによれば、ＬＣＵ proxy１７が、自営ＩＰネットワークシステムのプレストーク制御サーバ１３に接続すると共に、更に、既存システムの全ての基地局１９と、ＬＣＵ１８内の全ての基地局インタフェースに接続し、既存システム内に位置登録した端末の情報を自営ＩＰネットワークシステムのプレストークサーバ１３に供給するようにしているので、自営ＩＰネットワークシステムのプレストークサーバ１３は、ＬＣＵ proxy５及び既存システムを自己のネットワーク中の基地局の一つとして認識して、既存システムのＬＣＵ１８に大幅な変更を加えなくても自営ＩＰネットワークシステム及び既存システムで位置登録情報を共有することができ、いずれのネットワーク内に位置登録されている端末であっても、同一システム内と同様に通信可能とすることができ、一層利便性を向上させることができるものである。
【産業上の利用可能性】
【００７３】
本発明は、既存システムを変更することなく、自営ＩＰネットワークシステムと既存システムとの間の相互通話を可能とし、利便性を向上させることができる通信システムに適している。
【図面の簡単な説明】
【００７４】
【図１】本システムの主要部分の構成を示す模式説明図である。
【図２】自営ＩＰネットワークシステム内の移動局１が既存システムに位置登録する際の位置登録シーケンスを示す説明図である。
【図３】自営ＩＰネットワークシステム内の移動局１が既存システムに位置登録しようとして失敗する際のシーケンスを示す説明図である。
【図４】位置登録削除のシーケンスを示す説明図である。
【図５】位置登録削除タイムアウトシーケンスを示す説明図である。
【図６】プレストーク情報の登録ができずに位置登録に失敗する場合のシーケンスを示す説明図である。
【図７】加入者データがないため位置登録に失敗する場合のシーケンスを示す説明図である。
【図８】本発明の別の実施の形態に係る通信システムの構成ブロック図である。
【図９】自営ＩＰネットワークシステムと既存システムとを１つのシステムとして稼働させる場合の問題点を示した模式説明図である。
【図１０】自営ＩＰネットワークシステムと既存システムとの間に情報サーバを設けたシステムの模式説明図である。
【符号の説明】
【００７５】
１…移動局（ＭＳ）、  ２…基地局（ＢＳ）、  ３…ＡＧＷ、  ４…呼制御エンジン、  ５…ＬＣＵ proxy、  ６…ＬＣＵ、  ７…基地局、  ８…移動局、  １１…移動局、  １２…基地局、  １３…プレストークサーバ、  １４…回線制御部、  １５…位置登録データベース、  １６…呼制御サーバ、  １７…ＬＣＵ proxy、  １８…ＬＣＵ、  １９…既存基地局
【図１】
0005295646.tif 000002
【図２】
0005295646.tif 000003
【図３】
0005295646.tif 000004
【図４】
0005295646.tif 000005
【図５】
0005295646.tif 000006
【図６】
0005295646.tif 000007
【図７】
0005295646.tif 000008
【図８】
0005295646.tif 000009
【図９】
0005295646.tif 000010
【図１０】
0005295646.tif 000011